(57)【要約】【課題】回路基板が表示用開口部の表示の邪魔にならないように配置した液晶表示装置を提供する。【解決手段】前面枠１と樹脂枠８の一方の面との間に順次配置された液晶パネル２及び液晶シャッタ３と、樹脂枠８の他方の面と固定板７との間に順次配置された導光板４及び反射シート５と、導光板４の対向する側端面に配置された第１及び第２ランプセット６ａ，６ｂと、固定板７の後方に配置された外枠９とを備え、導光板４、反射シート５、固定板７及び外枠９には、外枠９の後方に配置された表示物が液晶パネル２の表面側から見えるようにするための表示用開口部１３，１４，１６が各々設けられ、外枠９の周辺部の背面側に垂直に設けられた回路基板支持板２６上に、第１の回路基板２２を設けた。【選択図】図３
2006230859.tif 000002
【特許請求の範囲】
【請求項１】
前面枠と樹脂枠の一方の面との間に順次配置された液晶パネル及び液晶シャッタと、前記樹脂枠の他方の面と固定板との間に順次配置された導光板及び反射シートと、前記導光板の対向する側端面に配置された第１および第２ランプセットと、前記固定板の後方に配置された外枠とを備え、前記導光板、反射シート、固定板及び外枠には、前記外枠の後方に配置された表示物が前記液晶パネルの表面側から見えるようにするための表示用開口部が各々設けられ、前記外枠の周辺部の背面側に垂直に設けられた回路基板支持板上に、第１の回路基板を設けたことを特徴とする液晶表示装置。
【請求項２】
前記樹脂枠の一方の面側に段部を形成し、前記液晶シャッタを前記段部上に配置することにより前記液晶パネルと前記液晶シャッタ間に所定の間隙を設けたことを特徴とする請求項１に記載の液晶表示装置。
【請求項３】
前記固定板は、中央に表示用開口部を形成し、四辺に折り曲げ部を形成し、前記折り曲げ部の一つと前記導光板の端面間に前記第１ランプセットを固定し、対向する辺の折り曲げ部と前記導光板の他の端面間に前記第２ランプセットを固定したことを特徴とする請求項１に記載の液晶表示装置。
【請求項４】
前記樹脂枠の他方の面の周縁に立ち上がり部を形成し、前記立ち上がり部を前記固定板に形成した折り曲げ部と係合させたことを特徴とする請求項３に記載の液晶表示装置。
【請求項５】
前記樹脂枠の他方の面の周縁に立ち上がり部を形成し、前記立ち上がり部に設けた孔と、前記固定板に形成した折り曲げ部の対応する位置にある孔と、前記外枠の周辺部に設けた孔とを、締結部品で結合して一体に固定したことを特徴とする請求項３に記載の液晶表示装置。
【請求項６】
前記導光板は、前記表示用開口部に臨む位置において、前記液晶パネルに向かって広がりを有する傾斜面を形成していることを特徴とする請求項１に記載の液晶表示装置。
【請求項７】
前記外枠の一方の面側の周辺部と側部の間には、前記液晶パネルに接続された第２及び第３の回路基板を配置しており、前記第２及び第３の回路基板は、前記外枠の背面に垂直に配置された前記回路基板支持板に支持される前記第１の回路基板に電気的に接続されていることを特徴とする請求項１に記載の液晶表示装置。
【発明の詳細な説明】
【技術分野】
【０００１】
本発明は、液晶表示装置に関し、特にアミューズメント用の液晶表示装置において、装飾やゲーム内容を表示するため液晶パネルの背面に液晶シャッタと導光板を配置し、この導光板の背面に反射シートを配置すると共に導光板の端面に対向してランプセットを配置し、反射シートの後方に配置された回転表示体等による表示物（例えば絵柄など）を液晶パネルの表面側から見えるようにするための表示用開口部を前記導光板及び反射シートに設けてなる液晶表示装置に関するものである。
【背景技術】
【０００２】
従来のアミューズメント用の液晶表示装置としては、例えば、回胴式遊技機（いわゆるパチスロ機）、パチンコ、アレンジボール遊技機、雀球遊技機、ビデオスロットゲームマシーン等に用いられるものがあり、遊技結果を表示する遊技結果表示部とその遊技結果表示部に特定の表示がなされた場合に，遊技者に有利な状態に遊技状態を変換制御する機能を有している。
【０００３】
このような従来の回動式遊技機の一例を図１０及び図１１を用いて説明する（下記特許文献１参照）。なお、図１０は従来の回動式遊技機１００の外観斜視図であり、図１１は回転表示体１０２、液晶表示装置１１６及び液晶シャッタ１１２の配置関係を示す縦断面図である。この回動式遊技機１００は、その筐体１０１の前面のほぼ中央上部に、筐体１０１内に配設した３個の回転表示体１０２ａ〜１０２ｃの表面が臨む３個の表示窓１０３ａ〜１０３ｃが横並びに設けられている。
【０００４】
各表示窓の下方には、遊技メダル投入口１０４、遊技メダルを投入するためのベットスイッチ１０５、クレジットされた遊技メダルを払い出すための貯留メダル清算スイッチ１０６、回転表示体１０２ａ〜１０２ｃの回転を一斉に開始させるためのスタートスイッチ１０７、回転表示体１０２ａ〜１０２ｃの回転を個別に停止させるためのストップスイッチ１０８ａ〜１０８ｃが設けられている。
【０００５】
この回動式遊技機１００の遊技結果表示部は、３個の回転表示体１０２ａ〜１０２ｃからなる第１表示手段と、第１表示手段の手前に配置された液晶表示装置１１６からなる第２表示手段と、前記第１表示手段と第２表示手段との間に配置された液晶シャッタ１１２からなる第３表示手段とを有する。第２表示手段は透過表示部（図示しない）を有し第１表示手段の表示を透過させて表示可能にし、第３表示手段は第１表示手段の表示を遮蔽するか又は透過させる３個の表示遮蔽部１１３ａ〜１１３ｃを有する。
【０００６】
また遊技機１００は、表示遮蔽部１１３ａ〜１１３ｃを第１表示手段の表示を遮蔽する状態と第１表示手段の表示を透過する状態とのいずれかに変換制御する変換制御手段を有している。
【０００７】
このうち、回転表示体１０２ａ〜１０２ｃの内部には回転表示体を照明するための３個のバックライト１１７ａ〜１１７ｃが配設されており、回転表示体１０２ａ〜１０２ｃの前方側には、液晶表示装置１１６及び液晶シャッタ１１２を背面側から照明するとともに回転表示体を表面側から照明するための前方照明装置１１８ａ、１１８ｂが配置されている。
【０００８】
また、液晶表示装置１１６はこの前面から透過して回転表示体１０２ａ〜１０２ｃが観察できる表示用開口部を備えている。この液晶表示装置１１６は透過表示部及び不透過領域を含む画面全体に演出画像が表示できるようになっている。
【０００９】
液晶シャッタ１１２は、液晶表示装置１１６の透過表示部に対応する位置に設けた表示遮蔽部１１３ａ〜１１３ｃを有する。液晶シャッタ１１２がオフ状態にされると、表示遮蔽部１１３ａ〜１１３ｃにおいてバックライト１１７ａ〜１１７ｃや前方照明装置１１８ａ、１１８ｂの光をすべて遮蔽するので、遊技者は液晶表示装置１１６の透過表示部を通して、第１表示手段である回転表示体１０２ａ〜１０２ｃによる表示物（例えば絵柄など）を視認することができなくなる。
【００１０】
他方、液晶シャッタ１１２がオン状態にされると、表示遮蔽部１１３ａ〜１１３ｃにおいてバックライト１１７ａ〜１１７ｃや前方照明装置１１８ａ、１１８ｂの光をすべて透過させるので、遊技者は液晶表示装置１１６の表示用開口部を通して、透過表示された第１表示手段である回転表示体１０２ａ〜１０２ｃによる表示物（例えば絵柄など）を視認できるようになる。この液晶シャッタ１１２のオン／オフ状態は、遊技機の状況により制御装置によって制御され、切り替え可能になされている。
【００１１】
このような構成の回動式遊技機は、遊技者がコインを投入してゲームを開始すると、表示遮蔽部１１３ａ〜１１３ｃが開口されて、液晶パネル１１６の前面から回転表示体１０２ａ〜１０２ｃによる表示物（例えば絵柄など）が見えるようになる。それと共に、液晶パネル１１６上に装飾等の各種の表示がなされる。その後、遊技者は回転表示体１０２ａ〜１０２ｃを回転させて表示窓１０３ａ〜１０３ｃから高速で変化する表示物（例えば絵柄など）を監視し、その内の１つについてストップ操作を行ういわゆる目押し操作を行って回転表示体１０２ａの回転を停止させる。以下順に他の回転表示体１０２ｂ、１０２ｃを停止させ、それぞれの表示窓１０３ａ〜１０３ｃに所望の表示物（例えば絵柄など）が表示されることを目標に操作してゲームを楽しむようになっている。
【特許文献１】特開２００４−２８３５４８号公報
【発明の開示】
【発明が解決しようとする課題】
【００１２】
ところで、かかる従来のアミューズメント用の液晶表示装置にあっては、液晶パネルを駆動するＩＣを制御するコントローラＩＣやその他の電子部品を実装した回路基板が、導光板の背面に液晶モジュールの一部分として一体に組み込まれるように構成されている。
【００１３】
しかしながら、液晶表示装置にあっては液晶パネル、導光板等が、回転表示体等による表示物（例えば絵柄など）の表示用開口部を有するので、液晶表示装置を駆動制御する回路を実装したプリント回路基板が表示用開口部の障害になってはならないため、回路基板の収納が問題となる。
【００１４】
すなわち、遊技者が表示窓を見たときに、導光板の背面側に設けられている回路基板が見えてしまったり、又は、金属フレームの表示用開口部の背面にある回路基板が表示の邪魔になること等により、遊技機の機能の複雑化によって制御回路の規模が大きくなっているにも拘らず比較的大きな回路基板を配置することができないという問題点がある。あるいは、回路基板を大きくする場合には、液晶パネルの透過部分の大きさが制約を受け表示用開口部を大きくすることができないという問題点があった。
【００１５】
本発明者は、上述のような問題点を解決すべく種々検討を重ねた結果、液晶表示装置の外枠の周辺部において、外枠の背面に対し垂直に配置した回路基板の支持板を設け、そこに回路基板を支持することにより、回路基板の大きさに制約されることなく、表示物（絵柄など）の全体を見るようにすることができることを見出し、本発明を完成するに至ったのである。
【００１６】
すなわち、本発明は、従来の問題点を除去し、回路基板が表示用開口部の表示の邪魔にならないようにした液晶表示装置を提供することを目的とする。
【課題を解決するための手段】
【００１７】
前記課題を解決するために、請求項１の本発明では、前面枠と樹脂枠の一方の面との間に順次配置された液晶パネル及び液晶シャッタと、前記樹脂枠の他方の面と固定板との間に順次配置された導光板及び反射シートと、前記導光板の対向する側端面に配置された第１および第２ランプセットと、前記固定板の後方に配置された外枠とを備え、前記導光板、反射シート、固定板及び外枠には、前記外枠の後方に配置された表示物が前記液晶パネルの表面側から見えるようにするための表示用開口部が各々設けられ、前記外枠の周辺部の背面側に垂直に設けられた回路基板支持板上に、第１の回路基板を設けた。
【００１８】
請求項２の本発明では、前記樹脂枠の一方の面側に段部を形成し、前記液晶シャッタを前記段部上に配置することにより前記液晶パネルと前記液晶シャッタ間に所定の間隙を設けた。
【００１９】
請求項３の本発明では、前記固定板は、中央に表示用開口部を形成し、四辺に折り曲げ部を形成し、前記折り曲げ部の一つと前記導光板の端面間に前記第１ランプセットを固定し、対向する辺の折り曲げ部と前記導光板の他の端面間に前記第２ランプセットを固定した。
【００２０】
請求項４の本発明では、前記樹脂枠の他方の面の周縁に立ち上がり部を形成し、前記立ち上がり部を前記固定板に形成した折り曲げ部と係合させた。
【００２１】
請求項５の本発明では、前記樹脂枠の他方の面の周縁に立ち上がり部を形成し、前記立ち上がり部に設けた孔と、前記固定板に形成した折り曲げ部の対応する位置にある孔と、前記外枠の周辺部に設けた孔とを、締結部品で結合して一体に固定した。
【００２２】
請求項６の本発明では、前記導光板は、前記表示用開口部に臨む位置において、前記液晶パネルに向かって広がりを有する傾斜面を形成している。
【００２３】
請求項７の本発明では、前記外枠の一方の面側の周辺部と側部の間には、前記液晶パネルに接続された第２及び第３の回路基板を配置しており、前記第２及び第３の回路基板は前記外枠の背面に垂直に配置された前記回路基板支持板に支持される前記第１の回路基板に電気的に接続されている。
【発明の効果】
【００２４】
本願の請求項１に係る発明によれば、前記液晶表示装置は、固定板に対し上下方向にて第１ランプセットと第２ランプセットと導光板とを固定できるので、第１ランプセットと第２ランプセットの着脱がしやすい。また、従来例では表示用開口部を邪魔していた回路基板を垂直に固定することができるようになったため、遊技者は表示用開口部の後方に位置する、回転表示体等による表示物（例えば絵柄など）全体を容易に見ることができるようになる。
【００２５】
また、本願の請求項２に係る発明によれば、前記液晶パネルと前記液晶シャッタ間に所定の間隙を設けているので、両者間で光の干渉を生じることがなくなり、液晶パネルにおけるモアレ現象を防止することができる。
【００２６】
また、本願の請求項３に係る発明によれば、第１及び第２ランプセットは折り曲げた固定板と導光板の端面の間に挟まれ、しかも両者は密着しているので、この部分からの光漏れを防止できる。
【００２７】
また、本願の請求項４に係る発明によれば、固定板と樹脂枠を容易に固定することができる。
【００２８】
また、本願の請求項５に係る発明によれば、外枠と、固定板と、樹脂枠とを、容易にかつ強固に組み立てることができる。
【００２９】
また、本願の請求項６に係る発明によれば、遊技者が液晶パネルの前面の斜め方向から見たとき、開口部の側壁における強い光をぼかす事により、眼に対する刺激を緩和することができる。
【００３０】
また、本願の請求項７に係る発明によれば、第１の回路基板の存在に係わらず、外枠の表示用開口部の後方が邪魔されない。その結果、遊技者は開口部後方に位置する、回転表示体等による表示物（例えば絵柄など）全体を観察することができる。
【発明を実施するための最良の形態】
【００３１】
以下、本発明の具体例を実施例及び図面を用いて詳細に説明する。
【実施例】
【００３２】
本発明の実施例に係る液晶表示装置を図１〜図９に示す。図１は本発明の実施例における液晶表示部と回路基板支持部の構成を示す背面斜視図、図２は図１の液晶表示部の主要構成部品を示す分解斜視図、図３は図１におけるＡ１−Ａ２側断面図、図４は図１におけるＢ１−Ｂ２側断面図、図５は図１におけるＣ１−Ｃ２側断面図、図６は図１におけるＤ１−Ｄ２側断面図、図７は図１におけるＥ１−Ｅ２側断面図、図８は図１におけるＦ１−Ｆ２側断面図、図９は図１における回路基板支持部のカバーを取り外した状態を示す液晶表示部の背面側から見た背面斜視図である。
【００３３】
本発明に係る液晶表示装置Ｉは、図１の背面斜視図に示すように、液晶表示部IIと回路基板支持部IIIとからなり、液晶表示部IIの外枠９の周辺部１７と側部１８の内部には液晶パネルに接続された第２及び第３の回路基板が設けられ、回路基板支持部IIIには外枠９の背面に垂直に配置された回路基板支持部IIIに前記第２及び第３の回路基板と電気的に接続された第１の回路基板が設けられている。
【００３４】
まず、図１の液晶表示部IIの分解斜視図である図２を用いて液晶表示部IIの主要構成部品について説明する。液晶表示部IIは、開口部を有する前面枠１の背面に配置される液晶パネル２と、液晶パネル２の背面に配置される液晶シャッタ３と、液晶シャッタ３の背面に配置される導光板４と、導光板４の背面に配置される反射シート５とを備えている。導光板４の対向する側端面４ａと、他の側端面４ｂには、端面に対向して光源である第１ランプセット６ａ、第２ランプセット６ｂを備えている。
【００３５】
導光板４及び反射シート５には、この反射シート５の後方に配置された回転表示体等による表示物（例えば絵柄など）（図示せず）が液晶パネル２の表面である前面側から見えるようにするために、中央部に表示用開口部１３を設けている。導光板４は、第１ランプセット６ａと第２ランプセット６ｂとを導光板４の側端面４ａ、４ｂに密接に対向させて、額縁状の樹脂枠８内に載置されている。
【００３６】
固定板７は、その中央部には導光板４及び反射シート５と同様の表示用開口部１４が形成されており、固定板７の周辺に形成された折り曲げ部１１が、樹脂枠８の枠壁１２の内面と枠壁１２の端面に形成した溝の立ち上がり部に嵌合される。
【００３７】
樹脂枠８は、その前面に液晶パネル２及び液晶シャッタ３を収納し、背面に導光板４、反射シート５、第１、第２ランプセット６ａ、６ｂ及び固定枠７からなる組み立て品を収納している。
【００３８】
さらに、これらを液晶パネル２にＴＡＢ（Tape Automated Bonding）を介して取り付けたドライバーＩＣ駆動用の第２の回路基板２０と第３の回路基板２１ともに、前面枠１と外枠９との間に収納される。外枠９は中央に表示用開口部１６を備え、その周辺部１７ａ〜１７ｄからそれぞれ側部１８ａ〜１８ｄが垂直の壁面として形成され、周辺部１７ａから外枠９の背面に垂直に配置固定された回路基板支持部IIIが設けられている。
【００３９】
図１の実施例におけるＡ１−Ａ２の側断面図である図３において、液晶表示装置の液晶表示部IIは、液晶パネル２と液晶表示部IIの後方に置かれた、図示しない回転表示体等による表示物（例えば絵柄など）との間に液晶シャッタ３を有する。この液晶シャッタ３は高速スイッチングが可能であり、開いた時（印加電圧がオン状態の時）には透明になる。
【００４０】
液晶シャッタ３が透明になると、液晶表示部IIの後方にはリフレクタ２３に取り付けた表示物（例えば絵柄など）投影光源２４が点灯しているので、液晶表示部IIの背面に配置した回転表示体等による表示物（例えば絵柄など）が外枠９の表示用開口部１６を介して見えるようになる。この時、表示用開口部１６部分を除く液晶パネル２の縁部の液晶表示は、液晶表示部IIの前部から遊技者に見えるようになる。
【００４１】
また、液晶シャッタ３は、閉じたとき（印加電圧がオフ状態の時）には乳白色となって表示物（例えば絵柄など）が見えなくなり、導光板４の役目を果たす。このとき、表示物（例えば絵柄など）投影光源２４は点灯しているので、導光板４及び液晶シャッタ３は照光されている。その結果、遊技者は液晶パネル２の中央部及び縁部において所定の液晶表示を見ることができるようになる。
【００４２】
図４及び図５に示すように、液晶シャッタ３は、樹脂枠８に段部１０を形成して液晶シャッタ３をその段部１０上に配置することにより、液晶パネル２と液晶シャッタ３との間に所定の間隙Ｇ、例えば０．４ｍｍの間隙が設けられる。その結果、液晶パネル２と液晶シャッタ３との間で、光の干渉を生じることがなくなり、液晶パネル２におけるモアレ現象の発生を防止することができるようになる。
【００４３】
また、図２に示したように、固定板７はその中央に表示用開口部１４が形成され、四辺には折り曲げ部１１ａ〜１１ｄが形成されている。これらの折り曲げ部の一つである１１ａと導光板４との間に第１ランプセット６ａを固定し、対向する辺の折り曲げ部１１ｂと導光板４との間に第２ランプセット６ｂを固定している。さらに、図４及び図５に示すように、液晶パネル２の長辺に沿って配置した第１及び第２ランプセット６ａ、６ｂは、樹脂枠８に固定された固定板７の折り曲げ部１１ａ，１１ｂと、導光板４の端面に挟まれて固定される。
【００４４】
第１及び第２ランプセット６ａ、６ｂの反射板６ｃ、６ｄは樹脂枠８と固定板７と導光板４とに挟まれて固定される。これにより各ランプセットは導光板４と密着するので光漏れを防止できるため、遊技者の目の疲労を軽減することができる。
【００４５】
また、図示するように、導光板４には、その表示用開口部１３に臨む位置において、液晶パネル２に向かって広がりを有する傾斜面４ｃ、４ｄが形成されている。その結果、導光板４の垂直内端面がなくなるから、傾斜面４ｃ、４ｄがない場合に比較すると、前面の斜め前から見たときに表示用開口部１３がぎらつくことが緩和され、遊技者の眼に対する刺激が傾斜面４ｃ、４ｄで和らげられて不快感が減少するので好ましい。
【００４６】
さらに、図４〜図７に示すように、樹脂枠８には枠壁１２ａ〜１２ｄが形成され、固定板７に形成された折り曲げ部１１ａ〜１１ｄとそれぞれ係合させている。すなわち、固定板７の長辺の折り曲げ部１１ａ、１１ｂは樹脂枠８の長辺の枠壁１２ａ、１２ｂの内側に嵌合されている。短辺の折り曲げ部１１ｃ、１１ｄは樹脂枠８の短辺の枠壁１２ｃ、１２ｄの上側に設けた溝８ｅの立ち上がり部８ｆに嵌合され、これにより固定板７は樹脂枠８に容易に固定される。
【００４７】
図２と、図８のＦ１−Ｆ２側断面図に示すように、外枠９には表示用開口部１６が形成されている。表示用開口部１６を囲む周辺部１７ａ，１７ｂの外側に位置する様に、樹脂枠８は立ち上がり部８ｇが形成されている。外枠９の所定部に設けた孔と、それぞれ対応する位置にある固定板７の折り曲げ部１１ｅに形成された孔と、樹脂枠８の立ち上がり部８ｇに形成された孔とを締結部品１９で結合し、一体に固定することにより液晶表示部IIは容易に組み立てることができる。
【００４８】
液晶パネル２にＴＡＢ方式で取り付けたドライバーＩＣ搭載の第２の回路基板２０と第３の回路基板２１は、ともに前面枠１と外枠９内に収納される。第２の回路基板２０は外枠９の幅広の周辺部１７ａと、側部１８ａとの間に配置されている。第３の回路基板２１は外枠９の幅狭の周辺部１７ｃと、側部１８ｃとの間に配置されている。外枠９の表示用開口部１６の背面は透明なアクリルなどのパネル２５で覆われ、液晶表示装置に塵などが入らないようになっている（図３参照）。
【００４９】
図９は、本発明の実施例において、回路基板支持部IIIのカバーを取り外した状態であり、液晶表示部IIの背面側から見た背面斜視図である。外枠９には、その周辺部１７から側部１８が垂直の壁面として形成されている。幅広の周辺部１７ａと、それに連なる側部１８ａで形成される角が、一部分除去されて孔９ａが設けられている。
【００５０】
この孔９ａを塞ぐように、孔９ａに沿って外枠９の背面に、箱型の回路基板支持板２６が周辺部１７ａに垂直に配置され、螺子２７で固定されて、回路基板支持部IIIが形成されている。箱型の回路基板支持板２６は、その下部に設けた嵌合部２６ａを周辺部１７ａに設けたスリット９ｂに側面から差し込むことによって位置決めされ、螺子２７で固定される。
【００５１】
外枠９の内部には、周辺部１７ａと側部１８ａ並びに周辺部１７ｃと側部１８ｃの間にそれぞれ液晶パネル２に接続された第２及び第３の回路基板２０、２１を配置し、第２、第３の回路基板２０、２１からは、第１の回路基板２２に接続されるフレキシブル配線基板２８、２９が孔９ａを通して引き出される。
【００５２】
外枠９の背面に垂直に配置した回路基板支持板２６に、第２及び第３の回路基板２０、２１の回路を制御する第１の回路基板２２は取り付け、固定される。支持された第１の回路基板２２に、第２および第３の回路基板２０，２１から引き出されたフレキシブル配線基板２８、２９が接続される。なお、符号３０、３１は第１の回路基板２２に搭載したコネクタである。また、符号３２は外部接続用のコネクタであるが、その他の部品等は図示を省略している。
【００５３】
このように、外枠９の背面に対し、回路基板支持板２６を垂直に設け、回路基板支持板２６に第１の回路基板２２を取り付けるので、第１の回路基板２２は、外枠９の表示用開口部１６の背面側に、はみだすことがない。その結果、遊技者は表示用開口部１６の背面側に位置する回転表示体等による表示物（例えば絵柄など）の全体を、第１の回路基板２２により邪魔されることなく、前面側（液晶パネル２の側）から見ることができるようになる。
【００５４】
このような構成による液晶表示装置の動作は下記のとおりである。遊技者がコインを投入してゲームをスタートさせると、かかる液晶表示装置を有する遊技機は、液晶パネル２上に導光板４、固定板７、外枠９の各表示用開口部１３、１４、１６と同じ位置に透光部分を残して開口部を形成し、開口部以外の面上に各種の装飾、ゲーム内容等の表示を行う。
【００５５】
それと同時に、遊技装置は回転表示体を外枠９の後方で回転させて、その表示物（例えば絵柄など）を液晶パネル２の表示用開口部から見えるようにする。遊技者は、回転表示体を高速回転させた状態で、表示用開口部内の高速で移動する表示物（例えば絵柄など）を監視して目押しを行って、所定のゲームを楽しむことができる。
【図面の簡単な説明】
【００５６】
【図１】本発明の実施例における液晶表示部と回転基板支持部の構成を示す背面斜視図である。
【図２】図１の液晶表示部の主要構成部品を示す分解斜視図である。
【図３】本発明の実施例におけるＡ１−Ａ２側断面図である。
【図４】本発明の実施例におけるＢ１−Ｂ２側断面図である。
【図５】本発明の実施例におけるＣ１−Ｃ２側断面図である。
【図６】本発明の実施例におけるＤ１−Ｄ２側断面図である。
【図７】本発明の実施例におけるＥ１−Ｅ２側断面図である。
【図８】本発明の実施例におけるＦ１−Ｆ２側断面図である。
【図９】本発明の実施例における回路基板支持部のカバーを取り外した状態を示す液晶表示部の背面側から見た背面斜視図である。
【図１０】従来の回動式遊技機の一例を示す外観斜視図である。
【図１１】従来の回動式遊技機における回転表示体、液晶表示装置及び液晶シャッタの関係を示す模式的説明図である。
【符号の説明】
【００５７】
１  前面枠
２  液晶パネル
３  液晶シャッタ
４  導光板
４ａ、４ｂ  側端面
４ｃ、４ｄ  傾斜面
５  反射シート
６ａ  第１ランプセット
６ｂ  第２ランプセット
７  固定板
８  樹脂枠
８ｅ  溝
８ｆ，８ｇ  立ち上がり部
９  外枠
１０  段部
１１、１１ａ〜１１ｄ  折り曲げ部
１２、１２ａ〜１２ｄ  枠壁
１３  表示用開口部
１４  表示用開口部
１６  表示用開口部
１７ａ〜１７ｄ  周辺部
１８ａ〜１８ｄ  側部
１９  締結部品
２０  第２の回路基板
２１  第３の回路基板
２２  第１の回路基板
２５  透明パネル
２６  回路基板支持板
２８、２９  フレキシブル配線基板
【図１】
2006230859.tif 000003
【図２】
2006230859.tif 000004
【図３】
2006230859.tif 000005
【図４】
2006230859.tif 000006
【図５】
2006230859.tif 000007
【図６】
2006230859.tif 000008
【図７】
2006230859.tif 000009
【図８】
2006230859.tif 000010
【図９】
2006230859.tif 000011
【図１０】
2006230859.tif 000012
【図１１】
2006230859.tif 000013